(57)【特許請求の範囲】
【請求項１】
計器用変圧変流器を有する２つの計器用変圧変流器ユニットと、該２つの計器用変圧変流器ユニットの一次側及び二次側を接続する第１及び第２の接続ユニットと、送電系統から供給された電力を受電する２つの受電ユニットと、変圧器と電気的に接続された２つの変圧器接続ユニットとを備え、前記各ユニットは接続母線を介して電気的に接続してなるガス絶縁開閉装置において、
前記第１の接続ユニットの両側に前記受電ユニットを、その両側に前記計器用変圧変流器ユニットを、さらにその外側に前記変圧器接続ユニットを配置すると共に、前記計器用変圧変流器ユニット、前記第１の接続ユニット、前記受電ユニット及び前記変圧器接続ユニットを接続する接続母線と前記第２の接続ユニットとを水平に並列配置したことを特徴とするガス絶縁開閉装置。
【請求項２】
前記接続母線の一方側に前記受電ユニット及び前記変圧器接続ユニットの遮断器収納容器と、前記受電ユニット、前記変圧器接続ユニット及び前記計器用変圧変流器ユニットの制御箱を配置し、前記接続母線の他方側に前記第２の接続ユニットを配置したことを特徴とする請求項１記載のガス絶縁開閉装置。
【請求項３】
前記制御箱は、前記遮断器収納容器の前記接続母線とは反対側に設置されていることを特徴とする請求項２記載のガス絶縁開閉装置。
【請求項４】
前記接続母線のほぼ真下に前記計器用変圧変流器ユニットの計器用変圧変流器を設置したことを特徴とする請求項１記載のガス絶縁開閉装置。
【請求項５】
前記計器用変圧変流器ユニット、前記第２の接続ユニット及び前記変圧器接続ユニットを十字型の分岐容器により接続し、対向する第１及び第２の分岐方向から引き出された三相導体を同一の第１の平面上に直線状に配置し、対向する第３及び第４の分岐方向から引き出された三相導体を同一の第２の平面上に直線状に配置すると共に、前記第１及び第２の平面が垂直、かつ、それぞれの平面に平行な直線がそれぞれの平面に対して平行となるように、前記各三相導体を接続したことを特徴とする請求項１記載のガス絶縁開閉装置。
【請求項６】
前記計器用変圧変流器ユニット、前記第２の接続ユニット及び前記変圧器接続ユニットを十字型の分岐容器により接続すると共に、各ユニットの断路器を前記十字型の分岐容器内に設置したことを特徴とする請求項１記載のガス絶縁開閉装置。
【発明の詳細な説明】
【０００１】
【発明の属する技術分野】
本発明は、ガス絶縁開閉装置に係り、特に装置の縮小化に好適なガス絶縁開閉装置に関するものである。
【０００２】
【従来の技術】
従来のガス絶縁開閉装置は、例えば特開平10−136517号公報に記載のような構成となっていた。すなわち２回線分の受電ユニット，２回線分の計器用変圧変流器ユニット，２回線分の変圧器接続ユニット，各回線の計器用変圧変流器ユニットの一次側を接続する接続ユニット及び各回線の計器用変圧変流器ユニットの二次側を接続する接続ユニットを備え、この２つの接続ユニットを上下方向に２段並列に配置していた。
【０００３】
【発明が解決しようとする課題】
しかしながら、２つの接続ユニットを上下方向に２段並列に配置していた従来のガス絶縁開閉装置では、接続ユニットの配置にあわせて受電ユニット，計器用変圧変流器ユニット及び変圧器接続ユニットの高さ方向の寸法を大きくしなければならず、装置全体の高さ方向の寸法が大きくなっていた。このため、分解輸送の際、輸送の高さ制限から通常のトラック輸送ができず、荷台の高さの低いトレーラ輸送しかできなかった。
【０００４】
本発明は、装置の縮小化が図れるガス絶縁開閉装置の提供を目的とするものである。
【０００５】
【課題を解決するための手段】
上記目的を達成するために、本発明のガス絶縁開閉装置は、計器用変圧変流器を有する２つの計器用変圧変流器ユニットと、該２つの計器用変圧変流器ユニットの一次側及び二次側を接続する第１及び第２の接続ユニットと、送電系統から供給された電力を受電する２つの受電ユニットと、変圧器と電気的に接続された２つの変圧器接続ユニットとを備え、前記各ユニットは接続母線を介して電気的に接続してなるものであって、前記第１の接続ユニットの両側に前記受電ユニットを、その両側に前記計器用変圧変流器ユニットを、さらにその外側に前記変圧器接続ユニットを配置すると共に、前記計器用変圧変流器ユニット、前記第１の接続ユニット、前記受電ユニット及び前記変圧器接続ユニットを接続する接続母線と前記第２の接続ユニットとを水平に並列配置したことを特徴とする。
【０００６】
【発明の実施の形態】
以下、本発明の実施の形態を図面に基づき説明する。
【０００７】
図１１は本発明の第１の実施の形態であるガス絶縁開閉装置の回路構成を示す単結線図である。本実施の形態の回路構成は、例えば工場等に設置される特高受変電設備に用いられるガス絶縁開閉装置に適用するものであり、２回線受電，２計量方式，２バンクの構成となっている。すなわち受電ユニットＬＵ１，計器用変圧変流器ユニットＰＵ１及び変圧器接続ユニットＴＵ１から構成した第１の回線と、受電ユニットＬＵ２，計器用変圧変流器ユニットＰＵ２及び変圧器接続ユニットＴＵ２から構成した第２の回線と、接続ユニットＣＵ１から構成すると共に第１，第２の回線間に接続した第１の接続線と、接続ユニットＣＵ２から構成すると共に第１，第２の回線間に接続した第２の接続線からなるものである。
【０００８】
図１は図１１の回路構成を適用した実際のガス絶縁開閉装置の装置構成を示す平面図である。図２は図１の正面図であり、制御箱を省略している。本実施の形態では接続ユニットＣＵ１の両側に受電ユニットＬＵ１，ＬＵ２を接続し、これを装置の中央に配置している。受電ユニットＬＵ１の反接続ユニットＣＵ１側には計器用変圧変流器ユニットＰＵ１を接続し、受電ユニットＬＵ２の反接続ユニットＣＵ１側には計器用変圧変流器ユニットＰＵ２を接続している。計器用変圧変流器ユニットＰＵ１の反受電ユニットＬＵ１側には変圧器接続ユニットＴＵ１を接続し、計器用変圧変流器ユニットＰＵ２の反受電ユニットＬＵ２側には変圧器接続ユニットＴＵ２を接続している。変圧器接続ユニットＴＵ１，ＴＵ２の間には接続ユニットＣＵ１と水平に並列配置した接続ユニットＣＵ２を接続している。
【０００９】
変圧器接続ユニットＴＵ１，ＴＵ２及び受電ユニットＬＵ１，ＬＵ２はそれぞれ遮断器収納容器１，遮断器の操作機構を収納した制御箱２及び断路器の操作機構を収納した制御箱３を備えている。それぞれのユニットの遮断器収納容器１は接続ユニットＣＵ２と平行な同一直線上で列構成をなすようにそれぞれのユニットの反接続ユニットＣＵ２側に配置している。それぞれのユニットの制御箱２及び制御箱３は制御箱２が上段、制御箱３が下段となるようにそれぞれの遮断器収納容器１の反接続ユニットＣＵ２側に積層して配置している。しかも、制御箱２と制御箱３からなる積層盤が接続ユニットＣＵ２と平行な同一直線上で列構成をなすように配置している。計器用変圧変流器ユニットＰＵ１，ＰＵ２は制御箱４を備えている。それぞのユニットの制御箱４は制御箱２と制御箱３からなる積層箱と列構成をなすように配置している。
【００１０】
接続ユニットＣＵ１は計器用変圧変流器ユニットＰＵ１の計器用変圧変流器の一次側と計器用変圧変流器ユニットＰＵ２の計器用変圧変流器の一次側を接続する第１の接続線を構成するものであり、円筒状の収納容器５内に収納容器５の中心軸方向に延びる導体を三相分、地面に対して垂直に直線状に配置して一括収納している。三相分の導体それぞれには断路器６，７を設置している。
【００１１】
ここで、断路器６，７は、それぞれ接地装置８，９を具備するものであり、開路，閉路及び接地の３位置をとることが可能である。このような断路器を用いることにより、接地装置を単独で設置する必要がないので、ユニット内の構成機器数を減らすことができ、操作機器の収納容器の大きさを小さくできる。また、操作機の数を減らすことができ、保守の効率化が図れる。
【００１２】
接続ユニットＣＵ２は計器用変圧変流器ユニットＰＵ１の計器用変圧変流器の二次側と計器用変圧変流器ユニットＰＵ２の計器用変圧変流器の二次側を接続する第２の接続線を構成するものであり、円筒状の収納容器１０内に収納容器１０の中心軸方向に延びる導体を三相分、地面に対して垂直に直線状に配置して一括収納している。三相分の導体それぞれには断路器１１，１２を設置している。断路器１１，１２それぞれは前述した断路器と同様に接地装置１３，１４を具備するものであり、３位置をとることが可能である。収納容器１０の両端はＴ分岐になっており、将来、変圧器接続ユニットの増設が可能である。
【００１３】
図３は図１のIII−III矢視断面図であり、受電ユニットＬＵ１の装置構成を示すものである。尚、以下の説明においては受電ユニットＬＵ１の装置構成のみ説明するが、受電ユニットＬＵ２も同一構成となっている。受電ユニットＬＵ１は送電系統（図示せず）から供給された電力を受電するものであり、変流器１５を貫通した電力ケーブル１６が接続されたケーブルヘッド１７から隣接する計器用変圧変流器ユニットＰＵ１に向かう線路を形成する導体には断路器１８，遮断器１９，断路器２０を設置している。断路器１８，２０それぞれは上述した断路器と同様に接地装置２１，２２を具備するものであり、３位置をとることが可能である。また、受電ユニットＬＵ１は落雷による地絡事故が発生した際、送電系統から進入してきた雷サージから変圧器を保護するために、ケーブルヘッド１７と断路器１８を接続する導体と大地との間に切離装置２３を介して避雷器２４を設置している。
【００１４】
ここで、ケーブルヘッド１７は、Ｔ分岐するものであり、分岐の一方側には計器用変圧変流器ユニットＰＵ１に向かう線路を形成する導体を接続し、分岐の他方側には各種耐圧試験器やバイパス回路が接続できるように接続端子を設けている。このようなＴ分岐するケーブルヘッドを用いることにより、収納容器に封入された絶縁ガスの給排処理作業やユニットの再解体作業などを行うことなく各種耐圧試験が行える。また、緊急時にはバイパス回路を接続して他負荷等への融通送電が行える。
【００１５】
ベース２５の一方側にはエルボ形の断面形状を有する円筒状の収納容器２６を設置している。収納容器２６には断路器１８，切離装置２３及び避雷器２４を三相一括収納している。収納容器２６の上方にはＴ分岐した円筒状の収納容器２７を配置している。収納容器２７には断路器２０を三相一括収納している。ベース２５の他方側には架台２８を介して角型の遮断器収納容器１を設置し、その下側には絶縁スペーサを介して収納容器２６を、その上側には絶縁スペーサを介して遮断器収納容器１の高さを超えないように収納容器２７を接続している。遮断器収納容器１内には遮断器１９を三相一括収納している。収納容器２６の反遮断器収納容器１側側面にはケーブルヘッド１７を三相分取り付けている。
【００１６】
収納容器２７のＴ分岐した一方側（反計器用変圧変流器ユニットＰＵ１側）には絶縁スペーサを介して接続ユニットＣＵ１の収納容器５を接続している。収納容器２７の反遮断器収納容器１側には接続ユニットＣＵ２の収納容器１０を収納容器２７と水平に並列配置している。収納容器１０は支棒２９によって支えている。遮断器収納容器１の反収納容器２６側には遮断器の操作機構を収納した角型の制御箱２と断路器の操作機構を収納した角型の制御箱３を積層した積層箱を設置している。制御箱２の高さ寸法は遮断器収納容器１の高さ寸法とほぼ同じであり、制御箱３の高さ寸法は架台２８の高さ寸法とほぼ同じである。
【００１７】
図４は図１のIV−IV矢視断面図であり、計器用変圧変流器ユニットＰＵ１の装置構成を示すものである。尚、以下の説明においては計器用変圧変流器ユニットＰＵ１の装置構成のみ説明するが、計器用変圧変流器ユニットＰＵ２も同一構成となっている。計器用変圧変流器ユニットＰＵ１は受電電力の電力量を計量するものであり、受電ユニットＬＵ１から変圧器接続ユニットＴＵ１に向かう線路を形成する導体には断路器３０，計器用変圧変流器３１，断路器３２を設置している。断路器３０，３２は前述した断路器と同様にそれぞれ接地装置３３，３４を具備するものであり、３位置をとることが可能である。
【００１８】
ベース２５の一方側には前述した受電ユニットＬＵ１の収納容器２６と列構成をなすように計器用変圧変流器３１を収納した収納容器３５を設置している。収納容器３５の真上には円筒状の収納容器３６を接続している。収納容器３６は前述した受電ユニットＬＵ１の収納容器２７と絶縁スペーサを介して接続できるように収納容器２７と同位置に配置している。断路器３０は前述した受電ユニットＬＵ１の収納容器２７に三相分一括収納している。ベース２５の他方側には制御箱４を設置している。制御箱４は前述した受電ユニットＬＵ１の制御箱２と制御箱３からなる積層箱と列構成をなすように配置している。収納容器３６の制御箱４側には接続ユニットＣＵ２の収納容器１０を収納容器３６と水平に並列配置している。
【００１９】
図５は図１の左側面図であり、変圧器接続ユニットＴＵ１の装置構成を示すものである。尚、以下の説明においては変圧器接続ユニットＴＵ１の装置構成のみ説明するが、変圧器接続ユニットＴＵ２も同一構成となっている。変圧器接続ユニットＴＵ１は受電電力を電気的に接続された変圧器ＴＲ１に供給するものであり、計器用変圧変流器ユニットＰＵ１から変圧器ＴＲ１に向かう線路を形成する導体には断路器３７，遮断器３８を設置している。断路器３７は前述した断路器と同様に接地装置３９を具備するものでり、３位置をとることが可能である。
【００２０】
ベース２５の一方側には前述した受電ユニットＬＵ１の遮断器収納容器１と列構成をなすように架台２８を介して角型の遮断器収納容器１を設置している。遮断器収納容器１には遮断器３８を三相分一括収納している。遮断器収納容器１の一方側には前述した受電ユニットＬＵ１の制御箱２と制御箱３からなる積層箱と列構成をなすように制御箱２と制御箱３からなる積層箱を設置している。制御箱２の高さ寸法は遮断器収納容器１の高さ寸法とほぼ同じであり、制御箱３の高さ寸法は架台２８の高さ寸法とほぼ同じである。
【００２１】
遮断器収納容器１の他方側の上方側には十字分岐型の円筒状の収納容器４０を絶縁スペーサを介して接続している。収納容器４０は前述した計器用変圧変流器ユニットＰＵ１の収納容器３６と絶縁スペーサを介して接続できるように収納容器３６と同位置に配置している。収納容器４０には断路器３７，計器用変圧変流器ユニットＰＵ１の断路器３２及び接続ユニットＣＵ２の断路器１１を三相分一括収納している。遮断器収納容器１の他方側の下方側には変圧器ＴＲ１に延びる円筒状の収納容器４１を絶縁スペーサを介して接続している。収納容器４０の反遮断器収納容器１側には収納容器４０と水平に並列配置した接続ユニットＣＵ２の収納容器１０を絶縁スペーサを介して接続している。収納容器１０は支棒２９によって支えている。
【００２２】
尚、本実施の形態においては、変圧器接続ユニットＴＵ１と変圧器ＴＲ１との間を収納容器４１により接続する例を説明したが、変圧器接続ユニットＴＵ１と変圧器ＴＲ１の両方にケーブルヘッドを取付け、これらの間を電力ケーブルにより接続してもよい。このようにケーブルヘッドによる接続方式を用いることにより、システム構成及び設備レイアウトの自由度が大幅に向上でき、屋外，屋内の用地や建物の制約条件にもフレキシブルに対応できる。
【００２３】
図６は十字分岐型の収納容器４０の構造を示す断面図、図７は図６のVII−VII矢視断面図、図８〜図１０は三相導体の配置構成を示す断面図である。図面において▲１▼は計器用変圧変流器ユニットＰＵ１側接続部であり、フランジ部４２のほぼ中央部には長楕円形状の絶縁スペーサ４３を固定し、導体４４を三相分支持している。図８は導体４４の収納容器４０に対する配置関係を示しており、導体
４４を三相分直線状、かつ地面に対して垂直に並べ、収納容器４０の中心より反接地装置３４側に偏心させて配置している。このように配置すれば、収納容器の大きさを変えず断路器を開いた場合の極間寸法を保てる。
【００２４】
▲２▼は接続ユニットＣＵ２側接続部であり、フランジ部４２のほぼ中央部には長楕円形状の絶縁スペーサ４３を固定し、導体４５を三相分支持している。図９は導体４５の収納容器４０に対する配置関係を示しており、導体４５を三相分直線状、かつ地面に対して平行に並べ、収納容器４０の中心より反接地装置１３側に偏心させて配置している。▲３▼は変圧器ユニットＴＵ１の遮断器収納容器１の接続部であり、フランジ部４２のほぼ中央部には長楕円形状の絶縁スペーサ４３を固定し、導体４６を三相分支持している。導体４６も導体４５と同様に、導体４６を三相分直線状、かつ地面に対して平行に並べ、収納容器４０の中心より反接地装置３９側に偏心させて配置している。
【００２５】
尚、本実施の形態においては、導体を三相分直線状、かつ地面に対して垂直又は平行に並べ、これを収納容器の中心から偏心させて配置した例について説明したが、この場合であると導体は４方向に引き出し可能である。図１０のように導体を三相分直線状、かつ地面に対して４５度傾けて並べ、これを収納容器の中心に配置した場合は導体を６方向に引き出しが可能である。
【００２６】
▲４▼は増設ユニット側接続部であり、フランジ部４２のほぼ中央部には長楕円形状の絶縁スペーサ４３を固定し、導体４７を三相分支持している。導体４７も導体４４と同様に、導体４７を三相分直線状、かつ地面に対して垂直に並べ、収納容器４０の中心より導体４６側に偏心させて配置している。導体４７は導体４４と同一平面上で対向している。導体４７からは導体４８，４９をそれぞれ三相分直線状、かつ地面に対して平行に分岐しており、導体４８は導体４５と同一平面上で対向し、導体４９は導体４６と同一平面状で対向している。導体４８，４５の平面と導体４９，４６の平面は同一平面である。また、導体４４，４７の平面と導体４５，４６，４８，４９の平面はそれぞれの平面に平行な直線が相手の平面と平行になるように垂直に交わっている。
【００２７】
導体４４の先端には断路器３２の可動導体５０を設けている。導体４７の先端には可動導体５０と接離可能な断路器３２の固定導体５１を設けている。可動導体５０は導体４４を回転軸として９０度回動できるようになっており、９０度回動した部分には断路器３２に具備した接地装置３４の固定導体５２を配置している。
【００２８】
導体４５の先端には断路器１１の可動導体５３を設けている。導体４８の先端には可動導体５３と接離可能な断路器１１の固定導体５４を設けている。可動導体５３は導体４５を回転軸として９０度回動できるようになっており、９０度回動した部分には断路器１１に具備した接地装置１３の固定導体５５を配置している。
【００２９】
導体４６の先端には断路器３７の可動導体５７を設けている。導体４９の先端には可動導体５６と接離可能な断路器３７の固定導体５７を設けている。可動導体５６は導体４６を回転軸として９０度回動できるようになっており、９０度回動した部分には断路器３７に具備した接地装置３９の固定導体５８を配置している。
【００３０】
尚、本実施の形態では、変圧器接続ユニットＴＵ１から計器用変圧変流器ユニットＰＵ１，受電ユニットＬＵ１，接続ユニットＣＵ１、受電ユニットＬＵ２及び計器用変圧変流器ユニットＰＵ２を介して変圧器接続ユニットＴＵ２に至る線路を形成する導体により接続母線ＢＵＳ１，変圧器接続ユニットＴＵ１から接続ユニットＣＵ２を介して変圧器接続ユニットＴＵ２に至る線路を形成する導体により接続母線ＢＵＳを構成している。
【００３１】
また、本実施の形態では、隣接するユニット或いはユニット内の収納容器の導体間接続にはチューリップコンタクトと呼ばれる接続機構を用いて、収納容器の接続と同時に導体の接続も自動的に接続できるようにしている。このような接続機構を用いることにより、ユニットの組立て及び解体の効率化が図れる。
【００３２】
以上説明した第１の実施の形態によれば、接続ユニットＣＵ２を接続ユニットＣＵ１と水平に並列配置したので、受電ユニットＬＵ１，ＬＵ２，計器用変圧変流器ユニットＰＵ１，ＰＵ２及び変圧器接続ユニットＴＵ１，ＴＵ２の高さ寸法を従来より小さくし、装置全体の高さ寸法を従来より小さくできる。従って、装置の分解輸送の際、通常のトラック輸送ができる。また、装置全体の高さ寸法が低くなるので、装置全体の重心が低くなり、装置の耐震性を向上できる。
【００３３】
また、接続ユニットＣＵ１を境として、接続ユニットＣＵ１の一方側に接続ユニットＣＵ２を配置し、接続ユニットＣＵ１の他方側に遮断器収納容器１，制御箱２，３，４を配置したので、各ユニットの収納容器間に無駄な空間を形成することがなく、装置全体を縮小化でき、据付け面積を小さくできる。尚、各ユニットの残りの収納容器は第１の母線とベース２５との間に形成される空間に設置すればよい。
【００３４】
また、計器用変圧変流器ユニットＰＵ１，ＰＵ２の計器用変圧変流器３１を収納容器３６の真下に接続したので、計器用変圧変流器ユニットＰＵ１，ＰＵ２を縮小化でき、装置全体を縮小化できる。
【００３５】
また、受電ユニットＬＵ１，ＬＵ２を装置の中央側に配置し、その外側に計器用変圧変流器ユニットＰＵ１，ＰＵ２、さらにその外側に変圧器接続ユニット
ＴＵ１，ＴＵ２を配置したので、将来、負荷の増設により変圧器の増設が必要な場合は、増設する変圧器接続ユニットを既存の変圧器接続ユニットの外側に接続していけばよく、既存のユニットを分解移動することなく簡単にユニットの増設ができる。
【００３６】
また、上記のようなユニットの並びであると、受電ユニットＬＵ１，ＬＵ２から変圧器接続ユニットＴＵ１，ＴＵ２に向かう線路を一方向により形成することができる。すなわち変圧器接続ユニットＴＵ１，ＴＵ２と計器用変圧変流器ユニットＰＵ１，ＰＵ２の配置が入替わっている場合、或いは受電ユニットＬＵ１，ＬＵ２と計器用変圧変流器ユニットＰＵ１，ＰＵ２の配置が入替わっている場合は、受電ユニットＬＵ１，ＬＵ２から変圧器接続ユニットＴＵ１，ＴＵ２に向かう線路を一度逆方向に戻すように形成しなければならないが、上記のような並びであると受電ユニットＬＵ１，ＬＵ２から変圧器接続ユニットＴＵ１，ＴＵ２に向かう線路を一方向により形成することができる。従って、装置構成を複雑にすることがないので、装置全体を縮小化できる。
【００３７】
また、各ユニットの遮断器の操作機構及び断路器の操作機構をそれぞれ遮断器収納容器１の反接続ユニット側（装置全体でみると装置前面）に積層して設置した制御箱２，３に収納したので、操作機構を別置きとしていた場合に比べて、操作性及び保守性の向上が図れる。また、前述したように各ユニットの高さ寸法を低減し、この高さ寸法に合せて制御箱２，３を形成したので、従来点検に必要であった点検台が不要となり、点検が容易に行える。
【００３８】
また、計器用変圧変流器ユニットＰＵ１，ＰＵ２の二次側の断路器，接続ユニットＣＵ２の断路器及び変圧器接続ユニットＴＵ１，ＴＵ２の断路器を収納容器４０内に配置したので、装置全体の縮小化が図れる。
【００３９】
図１４は本発明の第２の実施の形態であるガス絶縁開閉装置の回路構成を示す単結線図である。本実施の形態の回路構成は、２回線受電，１計量方式，２バンクの構成になっている。このため、第１の実施の形態とは異なり、第１の回線の計器用変圧変流器を省略して計器用変圧器を設置し、さらに第２の回線の計器用変圧変流器の一次側に計器用変圧器を設置している。その他の部分については第１の実施の形態と同様である。
【００４０】
図１２は図１４の回路構成を適用した実際のガス絶縁開閉装置の装置構成を示す平面図である。図１３は図１２の正面図であり、制御箱を省略している。本実施の形態では受電ユニットＬＵ１の反接続ユニットＣＵ１側にバイパスユニットＢＵ（第１の実施の形態の計器用変圧変流器ユニットＰＵ１の計器用変圧変流器３１を省略したユニット）を接続している。受電ユニットＬＵ２の反接続ユニットＣＵ１側には計器用変圧変流器ユニットＰＵ２を接続している。
【００４１】
バイパスユニットＢＵは受電ユニットＬＵ１の収納容器２７の径よりも大きい径を有する円筒状の収納容器５９を備えており、受電ユニットＬＵ１から変圧器接続ユニットＴＵ１に向かう線路を形成する導体に設置した計器用変圧器６０を収納している。また、受電ユニットＬＵ１から変圧器接続ユニットＴＵ１に向かう線路を形成する導体には断路器６１を設置しており、断路器６１は受電ユニットＬＵ１の収納容器２７内に三相分一括収納している。収納容器６２の一方側には絶縁スペーサを介して受電ユニットＬＵ１の収納容器２７を接続し、他方側には絶縁スペーサを介して変圧器接続ユニットＴＵ１の収納容器４０を接続している。
【００４２】
計器用変圧変流器ユニットＰＵ２は受電ユニットＬＵ２の収納容器５と収納容器２７との間にそれら径よりも大きい径を有する円筒状の収納容器６３を絶縁スペーサを介して接続している。計器用変圧器６４を収納している。収納容器２７の下側にはエルボ型の収納容器６２を接続し、収納容器６２には計器用変圧変流器３１を収納した収納容器３５を接続している。尚、この他の構成は前述した第１の実施の形態と同様なので、その説明は省略する。
【００４３】
以上説明した第２の実施の形態においても、第１の実施の形態と同様に、接続ユニットＣＵ２を接続ユニットＣＵ１と水平に並列配置したので、装置全体の高さ寸法を従来より小さくできる。従って、装置の分解輸送の際、通常のトラック輸送ができる。また、装置全体の高さ寸法が低くなるので、装置全体の重心が低くなり、装置の耐震性を向上できる。この他、第１の実施の形態と同様の構成部分においては第１の実施の形態と同様の効果を達成できる。
【００４４】
【発明の効果】
本発明に係るガス絶縁開閉装置によれば、計器用変圧変流器ユニット，第１の接続ユニット，受電ユニット及び変圧器接続ユニットを接続する接続母線、又は計器用変圧変流器ユニット，バイパス回路ユニット，第１の接続ユニット，受電ユニット及び変圧器接続ユニットを接続する接続母線と第２の接続ユニットとを水平に並列配置したので、受電ユニット，計器用変圧変流器ユニット及び変圧器接続ユニットの高さ寸法を従来よりも小さくでき、装置全体の高さ寸法を従来より小さくできる。
【図面の簡単な説明】
【図１】本発明の第１の実施の形態であるガス絶縁開閉装置の装置構成を示す平面図である。
【図２】図１の正面図であり、制御箱を省略した図面である。
【図３】図１のIII−III矢視断面図であり、受電ユニットの装置構成を示した図面である。
【図４】図１のIV−IV矢視断面図であり、計器用変圧変流器ユニットの装置構成を示した図面である。
【図５】図１の左側面図であり、変圧器接続ユニットの装置構成を示した図面である。
【図６】十字型の分岐容器の構成を示す断面図である。
【図７】図６のVII−VII矢視断面図である。
【図８】三相導体の配置構成を示す断面図。
【図９】三相導体の配置構成を示す断面図。
【図１０】三相導体の配置構成を示す断面図。
【図１１】本発明の第１の実施の形態であるガス絶縁開閉装置の回路構成を示す単結線図である。
【図１２】本発明の第２の実施の形態であるガス絶縁開閉装置の装置構成を示す平面図である。
【図１３】図１２の正面図であり、制御箱を省略した図面である。
【図１４】本発明の第２の実施の形態であるガス絶縁開閉装置の回路構成を示す単結線図である。
【符号の説明】
ＬＵ１,ＬＵ２…受電ユニット、ＴＵ１,ＴＵ２…変圧器接続ユニット、ＰＵ１，ＰＵ２…計器用変圧変流器ユニット、ＣＵ１，ＣＵ２…接続ユニット、ＴＲ１，ＴＲ２…変圧器、ＢＵＳ１，ＢＵＳ２…接続母線、ＢＵ…バイパスユニット、１…遮断器収納容器、２，３，４…制御箱、６，７，１１，１２，１８，２０，３０，３２，３７，６１…断路器、８，９，１３，１４，２１，２２，３３，３４，３９…接地装置、１９，３８…遮断器。
【図１】
0003835036.tif 000002
【図２】
0003835036.tif 000003
【図３】
0003835036.tif 000004
【図４】
0003835036.tif 000005
【図５】
0003835036.tif 000006
【図６】
0003835036.tif 000007
【図７】
0003835036.tif 000008
【図８】
0003835036.tif 000009
【図９】
0003835036.tif 000010
【図１０】
0003835036.tif 000011
【図１１】
0003835036.tif 000012
【図１２】
0003835036.tif 000013
【図１３】
0003835036.tif 000014
【図１４】
0003835036.tif 000015